(57)【要約】【課題】測光センサの特性を考慮した適正な予備発光条件を設定可能としたストロボ装置を提供する。【解決手段】このカメラシステムは、ストロボ発光撮影時、本発光前にプリ発光を実行する。そして、Ｂｕｃｏｍ１５０は、Ｆｕｃｏｍ３５０から外部ストロボ装置３の最大ガイドナンバーおよび最小ガイドナンバーを受け取ると共に、不揮発性メモリ１２１に記録された調光回路１１５のセンサダイナミックレンジを読み出しており、プレ発光時の発光回数および発光量を、この外部ストロボ装置３の最大ガイドナンバーおよび最小ガイドナンバーと、調光回路１１５のセンサダイナミックレンジとから算出する。【選択図】      図１
2005115161.tif 000002
【特許請求の範囲】
【請求項１】
ストロボ手段と、
前記ストロボ手段の発光による反射光量を測光する測光手段と、
前記ストロボ手段による予備発光と前記予備発光後の本発光とを制御するストロボ制御手段と
を具備し、
前記ストロボ制御手段は、
前記ストロボ手段の最大発光量および最小発光量と、前記測光手段の測光レンジとに基づき、前記予備発光時の発光回数を設定する予備発光回数設定手段を有することを特徴とするストロボ装置。
【請求項２】
前記予備発光回数設定手段は、ストロボ発光撮影時の撮影感度が予め定められた基準感度よりも大きい値に設定される場合、さらに、この撮影感度の上昇量に基づき、前記予備発光時の発光回数を設定することを特徴とする請求項１記載のストロボ装置。
【請求項３】
前記予備発光回数設定手段は、フラット発光を含む本発光時における複数の発光モードの中から前記フラット発光が選択されている場合、前記予備発光時の発光回数を他の発光モードの回数以下に設定することを特徴とする請求項１または２記載のストロボ装置。
【請求項４】
前記ストロボ制御手段は、画像撮像用の撮像手段と前記測光手段との特性差による補正を前記ストロボ手段の最小発光光量に対して行い、前記予備発光時の発光量を設定する予備発光光量設定手段をさらに具備することを特徴とする請求項１、２または３記載のストロボ装置。
【請求項５】
前記予備発光光量設定手段は、ストロボ発光撮影時の撮影感度が予め定められた基準感度よりも大きい値に設定される場合、その撮影感度の上昇量に基づき、前記予備発光時の各回の発光量をそれぞれ設定することを特徴とする請求項４記載のストロボ装置。
【請求項６】
ストロボ手段と、
前記ストロボ手段の発光による反射光量を測光する測光手段と、
前記ストロボ手段による予備発光と前記予備発光後の本発光とを制御するストロボ制御手段と
を具備し、
前記ストロボ制御手段は、
画像撮像用の撮像手段と前記測光手段との特性差に基づき、前記予備発光時の発光量を設定する予備発光量設定手段を有することを特徴とするストロボ装置。
【請求項７】
前記予備発光量設定手段は、さらに、前記ストロボ手段の最小発光量と、ストロボ発光撮影時の撮影感度が予め定められた基準感度よりも大きい値に設定される場合の当該撮影感度の上昇量とに基づき、前記予備発光時の発光量を設定することを特徴とする請求項６記載のストロボ装置。
【請求項８】
前記予備発光量設定手段は、本発光時における複数の発光モードで各々定められた予備発光時の最大発光量を越えないように、前記予備発光時の発光量を設定することを特徴とする請求項６記載のストロボ装置。
【請求項９】
ストロボ手段と、前記ストロボ手段の発光による反射光量を測光する測光手段とを具備し、前記ストロボ手段による予備発光と前記予備発光後の本発光とを実行するストロボ装置の制御方法であって、
前記ストロボ手段の最大発光量および最小発光量と、前記測光手段の測光レンジとに基づき、前記予備発光時の発光回数を設定することを特徴とするストロボ装置の制御方法。
【請求項１０】
ストロボ手段と、前記ストロボ手段の発光による反射光量を測光する測光手段とを具備し、前記ストロボ手段による予備発光と前記予備発光後の本発光とを実行するストロボ装置の制御方法であって、
画像撮像用の撮像手段と前記測光手段との特性差に基づき、前記予備発光時の発光量を設定することを特徴とするストロボ装置の制御方法。
【請求項１１】
ストロボ手段を有する外部ストロボ装置と、前記外部ストロボ装置が取り外し自在に装着されるカメラとからなるカメラシステムにおいて、
前記外部ストロボ装置は、
前記ストロボ手段の最大発光量、最小発光量、光量可変範囲のうちの少なくとも１つに関する情報を前記カメラに送信する送信手段を具備し、
前記カメラは、
前記ストロボ手段の発光による反射光量を測光する測光手段と、
前記ストロボ手段による予備発光と前記予備発光後の本発光とを制御するストロボ制御手段と
を具備し、
前記ストロボ制御手段は、
前記送信されたストロボ手段に関する情報と、前記測光手段の測光レンジとに基づき、前記予備発光時の発光回数を設定する予備発光回数設定手段を有することを特徴とするカメラシステム。
【請求項１２】
前記送信手段は、さらに、予備発光の最大発光量に関する情報を送信することを特徴とする請求項１１記載のカメラシステム。
【発明の詳細な説明】
【技術分野】
【０００１】
この発明は、本発光前に予備発光を行うストロボ装置の制御技術に関する。
【背景技術】
【０００２】
明るさが不足した状態で被写体像を撮像する場合、ストロボを発光させるが、このストロボ発光撮影時には、露光用の本発光の直前に赤目発光やプリ発光などといった小光量の予備発光を行うことが一般的である。赤目発光は、人間の目が赤く撮影されないよう瞳孔を収縮させるための発光であり、一方、プリ発光（予備発光とも呼ぶ）は、本発光時の適正発光量を決定するための発光である。
【０００３】
このプリ発光は、その直後の本発光を適正に行うためのものであるが、その発光回数を多くしたり、発光強度を大きくすると、ストロボコンデンサのエネルギーを消耗し、肝心の本発光での光量不足を誘発する等、却って逆効果となってしまう。従って、このプリ発光時の発光回数はより少なく、かつ発光強度はできるだけ小さい方が望ましい。
【０００４】
そこで、外部ストロボ装置が取り外し自在に装着されるカメラ本体で、各種の外部ストロボ装置に対応して適切な予備発光を行わせるために、異なる仕様の外部ストロボ装置に対して一律な条件を適用するのではなく、その時に装着されている外部ストロボ装置から固有のストロボ条件を取得し、そのストロボ条件に基づいて、カメラ本体で予備発光の条件を設定する閃光制御装置なども提案されている（例えば特許文献１参照）。
【特許文献１】特開２００２−３１１４７９号公報
【発明の開示】
【発明が解決しようとする課題】
【０００５】
ところで、最近では、デジタルカメラにおいて、専用の測光センサを使用するものも出始めている。前述のように、予備発光によるストロボコンデンサのエネルギ消費を可能な限り小さくして本発光に影響を与えないよう、予備発光時の発光回数や発光量を設定する必要があるが、この場合、さらに専用測光センサの特性等を考慮しなければならない。特に、撮像素子と専用測光センサとの特性差には十分な注意を払う必要がある。
【０００６】
この発明は、このような事情を考慮してなされたものであり、測光センサの特性を考慮した適正な予備発光条件を設定可能としたストロボ装置、同装置の制御方法およびカメラシステムを提供することを目的とする。
【課題を解決するための手段】
【０００７】
前述した目的を達成するために、この発明のストロボ装置は、ストロボ手段と、前記ストロボ手段の発光による反射光量を測光する測光手段と、前記ストロボ手段による予備発光と前記予備発光後の本発光とを制御するストロボ制御手段とを具備し、前記ストロボ制御手段は、前記ストロボ手段の最大発光量および最小発光量と、前記測光手段の測光レンジとに基づき、前記予備発光時の発光回数を設定する予備発光回数設定手段を有することを特徴とする。
【０００８】
また、この発明は、ストロボ手段と、前記ストロボ手段の発光による反射光量を測光する測光手段とを具備し、前記ストロボ手段による予備発光と前記予備発光後の本発光とを実行するストロボ装置の制御方法であって、前記ストロボ手段の最大発光量および最小発光量と、前記測光手段の測光レンジとに基づき、前記予備発光時の発光回数を設定することを特徴とする。
【０００９】
また、この発明は、ストロボ手段を有する外部ストロボ装置と、前記外部ストロボ装置が取り外し自在に装着されるカメラとからなるカメラシステムにおいて、前記外部ストロボ装置は、前記ストロボ手段の最大発光量と最小発光量に関する情報を前記カメラに送信する送信手段を具備し、前記カメラは、前記ストロボ手段の発光による反射光量を測光する測光手段と、前記ストロボ手段による予備発光と前記予備発光後の本発光とを制御するストロボ制御手段とを具備し、前記ストロボ制御手段は、前記ストロボ手段の最大発光量および最小発光量と、前記測光手段の測光レンジとに基づき、前記予備発光時の発光回数を設定する予備発光回数設定手段を有することを特徴とする。
【００１０】
この発明においては、ストロボの最大ガイドナンバーおよび最小ガイドナンバーと測光センサの測光レンジとに基づき、予備発光時の発光回数を設定するので、測光センサの特性を考慮した無駄のない適正な予備発光条件の設定が実現される。
【発明の効果】
【００１１】
このように、この発明によれば、測光センサの特性を考慮した適正な予備発光条件を設定可能としたストロボ装置、同装置の制御方法およびカメラシステムを提供することができる。
【発明を実施するための最良の形態】
【００１２】
以下、図面を参照してこの発明の実施形態を説明する。
【００１３】
（第１実施形態）
まず、この発明の第１実施形態について説明する。
【００１４】
図１は、この発明の第１実施形態に係るカメラシステムの構成を示す図である。
【００１５】
この第１実施形態のカメラシステムは、それぞれが別体に構成されるカメラ本体部１、レンズ鏡筒２および外部ストロボ装置３からなり、カメラ本体部１と、レンズ鏡筒２および外部ストロボ装置３とは、互いに着脱自在に構成されている。
【００１６】
このカメラ本体部１、レンズ鏡筒２および外部ストロボ装置３の制御は、ボディ制御用マイクロコンピュータ（以下、Ｂｕｃｏｍと称する）１５０、レンズ制御用マイクロコンピュータ（以下、Ｌｕｃｏｍと称する）２５０およびフラッシュ制御用マイクロコンピュータ（以下、Ｆｕｃｏｍと称する）３５０が各々実行する。また、Ｂｕｃｏｍ１５０とＬｕｃｏｍ２５０およびＦｕｃｏｍ３５０とは、合体時において通信コネクタ２５１，３５１を介して通信可能に電気的接続がなされる。そして、この場合、１つのカメラシステムとして、Ｌｕｃｏｍ２５０およびＦｕｂｏｍ３５０がＢｕｃｏｍ１５０に従属的に協働しながら稼動するようになっている。つまり、後述する外部ストロボ装置３によるプリ発光の条件設定制御は、このＦｕｂｏｍ３５０とＢｕｃｏｍ１５０とが協働して実行されるものである。
【００１７】
レンズ鏡筒２は、複数のレンズやその駆動機構等からなる撮影光学系２０１を内部に保持して構成されている。この撮影光学系２０１は、レンズ駆動機構２０２内に在る図示しないＤＣモータにより駆動され、被写体からの光束を透過させることによって、当該被写光束により形成される被写体の像を所定の位置（後述する撮像素子の光電変換面上）に結像せしめるように、例えば複数の光学レンズ等によって構成されるものである。このレンズ鏡筒２は、カメラ本体部１の前面に向けて突出するように配設される。また、このレンズ鏡筒２内には、絞り駆動機構２０３内に在る図示しないステッピングモータによって駆動される絞り２０４が設けられている。そして、Ｌｕｃｏｍ２５０は、Ｂｕｃｏｍ１５０からの指令に従って、これらの各モータを制御する。
【００１８】
カメラ本体部１は、各部に各種の構成部材等を備えて構成され、かつ、撮影光学系２０１を保持するレンズ鏡筒２を着脱自在となるように配設するための連結部材である撮影光学系装着部をその前面に備えて構成されてなる、いわゆる一眼レフレックス方式のカメラである。また、このカメラ本体部１は、最大ガイドナンバーが異なる複数の外部ストロボ装置３を必要に応じて排他選択的に装着できるように構成されている。
【００１９】
このカメラ本体部１の内部には、各種の構成部材、例えば、いわゆる観察光学系を構成するファインダ装置１０１と、撮像素子の光電変換面への被写体光束の照射時間等を制御するシャッタ機構等を備えたシャッタ部１０２と、被写体像に対応した画像信号を得るための撮像ユニット１０３とが、それぞれ所定の位置に配設されている。
【００２０】
ファインダ装置１０１は、撮影光学系２０１を透過した被写体光束の光軸を折り曲げて観察光学系の側へと導き得るように構成される反射鏡１０１ａと、この反射鏡１０１ａから出射する光束を受けて正立正像を形成するペンタプリズム１０１ｂと、このペンタプリズム１０１ｂにより形成される像を拡大して観察するのに最適な形態の像を結像させる接眼レンズ１０１ｃ等によって構成されている。
【００２１】
反射鏡１０１ａは、撮影光学系２０１の光軸から退避する位置と当該光軸上の所定の位置との間で移動自在に構成され、通常状態においては、撮影光学系２０１の光軸上において当該光軸に対して所定の角度、例えば、角度４５度を有して配置されている。
【００２２】
これにより、撮影光学系２０１を透過した被写体光束は、当該カメラシステムが通常状態（ミラーダウン）にあるときには、反射鏡１０１ａによりその光軸が折り曲げられ、当該反射鏡１０１ａの上方に配置されるペンタプリズム１０１ｂの側へと反射されるようになっている。一方、カメラシステムが撮影動作の実行中においては、当該反射鏡１０１ａは撮影光学系２０１の光軸から退避する所定の位置（ミラーアップ）に移動するようになっており、これによって、被写体光束は、撮像ユニット１０３側へと導かれる。
【００２３】
シャッタ部１０２は、例えば、フォーカルプレーン方式のシャッタ機構やその駆動回路等、従来のカメラ等において一般的に利用されているものと同様のものが適用される。
【００２４】
撮像ユニット１０３には、撮影光学系２０１を通過した被写体像を光電変換するための撮像素子１０４が光電変換素子として設けられている。この撮像素子１０４は、該撮像素子１０４とシャッタ部１０２の間に配設された光学素子としての透明なガラス部材でなる防塵フィルタ１０５によって保護されている。そして、この防塵フィルタ１０５を所定の周波数で振動させる加振手段の一部として、例えば圧電素子１０６がその防塵フィルタ１０５の周縁部に取り付けられている。この圧電素子１０６は２つの電極を有しており、この圧電素子１０６が加振手段の一部としての防塵フィルタ駆動回路１０７によって防塵フィルタ１０５を振動させ、そのガラス表面に付着していた塵を除去できるように構成されている。
【００２５】
また、このカメラ本体部１内には、サブミラー１０８と、このサブミラー１０８からの反射光束を受けて自動測距するためのＡＦセンサユニット１０９と、ＡＦセンサユニット１０９を駆動制御するＡＦセンサ駆動回路１１０と、反射鏡１０１ａを駆動制御するミラー駆動機構１１１と、シャッタ部１０２の先幕と後幕を駆動するためのばね力をチャージするシャッタチャージ機構１１２と、この先幕と後幕の動きを制御するシャッタ制御回路１１３と、ペンタプリズム１０１ｂからの光束に基づき測光する測光回路１１４と、予備発光であるプリ発光時のストロボ発光量をシャッタ部１０２からの反射光で測光し、本発光時のストロボ発光量を決定するための（調光センサを含む）調光回路１１５とが設けられている。つまり、この第１実施形態のカメラシステムでは、ストロボ発光の測光を行うための専用のセンサユニットが設けられる。
【００２６】
さらに、このカメラ本体部１内には、液晶モニタ１１６と、記憶領域として設けられたＳＤＲＡＭ１１７と、ＦｌａｓｈＲＯＭ１１８および記録メディア１１９などを利用して画像処理する画像処理コントローラ１２０とが設けられ、電子撮像機能と共に電子記録表示機能を提供できるように構成されている。その他の記憶領域としては、カメラ制御に必要な所定の制御パラメータを記録する不揮発性記憶手段として、例えばＥＥＰＲＯＭからなる不揮発性メモリ１２１が、Ｂｕｃｏｍ１５０からアクセス可能に設けられている。そして、この不揮発性メモリ１２１には、調光回路１１５に内在する調光センサのダイナミックレンジやセンサ感度、撮像素子１０４の感度等、後述するプリ発光条件演算に使用する各種データが記録されている。
【００２７】
また、Ｂｕｃｏｍ１５０には、当該カメラの動作状態を表示出力によってユーザへ告知するための動作表示用ＬＣＤ１５１と、カメラ操作スイッチ（ＳＷ）１５２とが接続されている。カメラ操作ＳＷ１５２は、例えばレリーズＳＷ、モード変更ＳＷおよびパワーＳＷなどの当該カメラを操作するために必要な操作釦を含むスイッチ群である。
【００２８】
そして、電源としての電池１５３と、この電源の電圧を当該カメラシステムを構成する各回路ユニットが必要とする電圧に変換して供給する電源回路１５４とが、このカメラ本体部１内には設けられている。
【００２９】
外部ストロボ装置３は、暗い被写体を撮影するための光源であり、発光制御回路３０１によって発光部３０２の発光量が制御される。この外部ストロボ装置３には、充電制御回路３０３の制御によって所定量の電荷を蓄積可能なストロボコンデンサ３０４が設けられており、発光制御回路３０１は、このストロボコンデンサ３０４を充放電させて発光部３０２を駆動する。また、充電制御回路３０３は、ストロボコンデンサ３０４の蓄積電荷量を検出する電圧検出部を有している。Ｆｕｃｏｍ３５０は、各々に固有の最大ガイドナンバーおよび最小ガイドナンバーと両者の差である光量可変範囲に関する情報を記憶しており、この記憶した各ガイドナンバーをＢｕｃｏｍ１５０に通知すると共に、Ｂｕｃｏｍ１５０からの指令に従って、発光制御回路３０１および充電制御回路３０３を制御する。なお、通知する情報は、最大または最小ガイドナンバーと光量可変範囲情報のみでもよい。最大または最小値が分かれば、他は算出できるからである。また、Ｆｕｃｏｍ３５０は、後述するフラット発光時のプリ発光最大ガイドナンバーや閃光発光時のプリ発光最大ガイドナンバー等を記憶しており、これら各種データを適宜にＢｕｃｏｍ１５０に通知する。
【００３０】
次に、図２を参照して、このカメラシステムでストロボ発光撮影が行われる場合のストロボ発光制御に関わる動作の流れを説明する。
【００３１】
このカメラシステムでは、ストロボ発光撮影を行う場合、露光用の本発光前に、赤目発光およびプリ発光の予備発光を実行する。そのために、Ｂｕｃｏｍ１５０は、まず、赤目発光の実行をＦｕｃｏｍ３５０に指示し、この指示を受けたＦｕｃｏｍ３５０は、ストロボコンデンサ３０４の電荷を用いた発光部３０２による小光量の発光を発光制御回路３０１に断続的に実行させる（図２の（１））。この赤目発光は、必ずしも行われるものではなく、例えば人物撮影に適したモードと風景撮影に適したモードのような複数の撮影モードが設定可能である場合には、前者のモード選択時のみ実行される。また、この赤目発光を行うかどうかをユーザが明示的に設定することも可能である。
【００３２】
この赤目発光後、人間の瞳孔が収縮するまでに充分な時間が経過すると、Ｂｕｃｏｍ１５０は、測光回路１１４の測光結果から求めた絞り値（Ｆno**）の位置に絞り２０４を設定すべく絞り駆動機構２０３を作動させるようにＬｕｃｏｍ２５０に指示すると共に（図２の（２））、ミラーアップをミラー駆動機構１１１に指示する（図２の（３））。
【００３３】
この絞り２０４や反射鏡１０１ａの駆動と並行して、Ｂｕｃｏｍ１５０は、プリ発光の諸条件、つまり発光回数や発光量を演算する（図２の（４））。より具体的には、Ｆｕｃｏｍ３５０から通知された最大ガイドナンバーおよび最小ガイドナンバーと、不揮発性メモリ１２１に記録された調光回路１１５のセンサダイナミックレンジとに基づき、プリ発光時の発光回数を決定したり、不揮発性メモリ１２１に記録された撮像素子１０４の感度と、同じく不揮発性メモリ１２１に記録された調光回路１１５のセンサ感度との受光特性の差に基づき、プリ発光時の発光量を決定する。そして、この第１実施形態のカメラシステムは、このように、ストロボ発光専用の調光回路１１５の特性を考慮してプリ発光条件演算を行うようにした点を特長としており、以下、この点について詳述する。
【００３４】
なお、このプリ発光条件演算後、Ｂｕｃｏｍ１５０は、調光回路１１５に定常光の測定を行わせ（図２の（５））、また、プリ発光の実行をＦｕｃｏｍ３５０に指示し（図２の（６），（６）’）、Ｆｕｃｏｍ３５０との通信を実行しながら、このプリ発光と同期させて、当該プリ発光の測定を調光回路１１５に行わせる（図２の（７），（７）’）。ここでは、プリ発光条件演算によりプリ発光回数が２回と算出されたものと仮定する。そして、Ｂｕｃｏｍ１５０は、プリ発光の測定結果に基づき、本発光時の発光量を演算し（図２の（８））、この本発光時の発光量演算後、撮像ユニット１０３に対して露光の開始を指示すると共に（図２の（９））、シャッタ制御回路１１３に対してユーザ指定または測光回路１１４の測光結果から算出されたシャッタ速度でのシャッタ部１０２の駆動を指示し（図２の（１０））、適切なタイミングで、当該発光量の演算結果を添えて、Ｆｕｃｏｍ３５０に対して本発光の実行を指示する（図２の（１１））。
【００３５】
図３は、この第１実施形態のカメラシステムで実行される調光回路１１５のセンサダイナミックレンジに応じたプリ発光制御の原理を説明するための図である。
【００３６】
図３に示すように、１回目のプリ発光の光量は、ストロボ撮影可能な範囲内の最至近距離を目標とし、その反射光を測光する調光回路１１５の調光センサから例えば６０％の出力（最至近センサ出力狙い値）が得られるように決定される。また、調光回路１１５のセンサダイナミックレンジの限界により、この１回目のプリ発光ではストロボ撮影可能な範囲内の最遠距離をカバーできない場合には、今度は、この調光回路１１５のセンサダイナミックレンジの下限（例えば１０％）に対応する距離を目標とし、２回目のプリ発光の光量が決定される。具体的には、この場合、調光回路１１５のセンサダイナミックレンジの上限（例えば８０％）の出力が得られるようにその光量が決定される。もし、この２回目のプリ発光でもストロボ撮影可能な範囲内の最遠距離をカバーできない場合には、同様の手順でその光量が決定されて３回目のプリ発光が実行されることになる。なお、図３の例では、２回目のプリ発光でストロボ撮影可能な範囲内の最遠距離がカバーされるので、その発光回数は２回となる。
【００３７】
以上のように、調光回路１１５のセンサダイナミックレンジに応じてプリ発光時の発光回数と各回での発光量を決定すると、外部ストロボ装置３のストロボコンデンサ３０４が蓄積する電荷の消費量を必要最小限に止めることができる。図４に示すように、ストロボコンデンサ３０４が満充電の理想的な状態で本発光が行われた場合（図４（Ａ））と比較して、赤目発光およびプリ発光後のストロボコンデンサ３０４の現実の状態で本発光が行われた場合（図４（Ｂ））には、得られる光量が明らかに低下する。すなわち、プリ発光で消費されるストロボコンデンサ３０４の電荷量を少しでも減らせる効果は非常に大きいといえる。
【００３８】
また、Ｆｕｃｏｍ３５０が図５に示すようなテーブルを記録しており、このテーブルに基づいて発光部３０２を発光制御しているものとする。つまり、ストロボコンデンサ３０４が満充電の場合は、図５（Ａ）のテーブルに記載された発光時間を採用して各発光量を確保し、また、満充電ではないが３００Ｖ以上の場合は、図５（Ｂ）のテーブルに記載された発光時間を採用して各発光量を確保し、さらに、３００Ｖ未満で２８０Ｖ以上の場合は、図５（Ｃ）のテーブルに記載された発光時間を採用して各発光量を確保しているわけである。この時、各電圧間は線形補間が行われる。
【００３９】
この場合、プリ発光後のストロボコンデンサ３０４の電荷量は少なくとも２８０Ｖ分残存していなければならず、これを下回ってしまうと、本発光時の光量制御精度が大きく悪化してしまうことになる。このことからも、調光回路１１５のセンサダイナミックレンジに応じてプリ発光時の発光回数と各回での発光量を決定し、外部ストロボ装置３のストロボコンデンサ３０４が蓄積する電荷の消費量を必要最小限に止めることの意義は大きい。なお、Ｆｕｃｏｍ３５０が、図５に示したテーブルによらずに、本発光時の発光量をセンサモニタし、所望の発光量に達した時点で発光を停止させるといった発光制御を行えば、ストロボコンデンサ３０４の電荷量の下限をさらに下方に押し広げることも可能であるが、コストアップを招くと共に、やはり、本発光を行った場合、得られる光量が低下する問題が残る。
【００４０】
また、ここでは、シャッタ部１０２が、フォーカルプレーン方式のシャッタ機構を有しているために、ストロボ発光撮影時のシャッタ速が高速である場合、撮像素子１０４の露光は先幕と後幕の隙間で部分的に時系列に行われることになる。そして、この場合のストロボ発光は、通常の閃光発光ではなく、この先幕と後幕の隙間が露光面を通過し始めてから通過し終えるまで継続的に発光するいわゆるフラット発光が実行される。このフラット発光を行う場合、ストロボコンデンサ３０４の蓄積電荷が充分であれば、図６の（Ａ）に示すように、その発光は終止安定した正常なものとなるが、ストロボコンデンサ３０４の蓄積電荷が不足すると、図６の（Ｂ）に示すように、本発光の前後で露光にむらが発生してしまう。つまり、前述のように、外部ストロボ装置３のストロボコンデンサ３０４が蓄積する電荷のプリ発光での消費は必要最小限に止めなければならない。
【００４１】
また、このフラット発光は、一定期間繰り返し続けられるものなので、各々の発光量は小さくせざるを得ない。従って、このフラット発光が本発光時に行われる場合には、これよりも大きな光量でのプリ発光は全くの無駄である。そこで、本発光時にフラット発光が行われる場合、Ｂｕｃｏｍ１５０は、ストロボ撮影可能な範囲内の最至近距離を目標としたプリ発光を１回のみ行うようにプリ発光を制御する。
【００４２】
図７は、この第１実施形態のカメラシステムが実行するストロボ発光撮影時のプリ発光制御の制御方法の手順を示すフローチャートである。
【００４３】
Ｂｕｃｏｍ１５０は、まず、Ｆｕｃｏｍ３５０から外部ストロボ装置３の最大ガイドナンバー、最小ガイドナンバー、フラット発光時のプリ発光最大ガイドナンバーおよび閃光発光時のプリ発光最大ガイドナンバー等の各種データを取得して、例えばＳＤＲＡＭ１１７などのメモリに格納する（ステップＡ１）。プリ発光の最大発光量を制限するのは、本発光用の電荷不足を防止するためである。また、Ｂｕｃｏｍ１５０は、不揮発性メモリ１２１に記録された調光回路１１５のセンサダイナミックレンジを読み取る（ステップＡ２）。なお、Ｂｕｃｏｍ１５０は、式１を用いて、各ガイドナンバー（Ｇno）をアペックス単位（Ｇｖ）に換算して各演算を実行する。
【数１】
2005115161.tif 000003
【００４４】
次に、Ｂｕｃｏｍ１５０は、ストロボ発光撮影時にストロボ光のみでは露出不足の場合に撮影感度をアップさせる動作モードであるＡＵＴＯＩＳＯモードに設定されているかどうかを調べ（ステップＡ３）、設定されていれば（ステップＡ３のＹＥＳ）、不揮発性メモリ１２１に記録されたアップ段数を読み取って設定する（ステップＡ４）。また、Ｂｕｃｏｍ１５０は、本発光時の発光がフラット発光かどうかを調べ（ステップＡ５）、もし、フラット発光でなければ（ステップＡ５のＮＯ）、つまり通常の閃光発光であれば、まず、式２を用いて、プリ発光時の発光回数を算出する（ステップＡ６）。
【数２】
2005115161.tif 000004
【００４５】
この式２により、外部ストロボ装置３の最大ガイドナンバーおよび最小ガイドナンバーと、調光回路１１５のセンサダイナミックレンジとに対応した、プリ発光時の適切な発光回数が算出されることになる。
【００４６】
また、この発光回数を算出すると、Ｂｕｃｏｍ１５０は、式３ａ，ｂを用いて、プリ発光時の各回の発光量を算出する（ステップＡ７）。
【数３】
2005115161.tif 000005
【００４７】
ここで、プリ発光１Ｇｖは、１回目のプリ発光の光量、プリ発光ｎＧｖは、２回目以降のｎ回目のプリ発光の光量である。また、ＡＵＴＯ感度アップ段数（例えば２．０）や余裕値（例えば１．０）は、Ｂｕｃｏｍ１５０によって不揮発性メモリ１２１から読み出される一定値である。この式３により、撮像素子１０４と調光回路１１５の受光特性の差分が補正されることになる。なお、余裕値は、いわゆる個体ばらつきや測定誤差等を吸収するために与えられるものである。
【００４８】
そして、Ｂｕｃｏｍ１５０は、この算出したプリ発光の光量が、Ｆｕｃｏｍ３５０から取得した閃光発光時のプリ発光最大ガイドナンバーを越えていないかどうかを調べ（ステップＡ８）、越えていれば（ステップＡ８のＹＥＳ）、その越えている算出したプリ発光ガイドナンバーに代えてプリ発光最大ガイドナンバーを設定する（ステップＡ９）。
【００４９】
また、フラット発光であれば（ステップＡ５のＹＥＳ）、Ｂｕｃｏｍ１５０は、プリ発光時の発光回数を無条件に１回に設定し（ステップＡ１０）、式４を使って、プリ発光時の発光量を算出する（ステップＡ１１）。
【数４】
2005115161.tif 000006
【００５０】
この式４は、前述の式３ａ，ｂの３ａ、つまり閃光発光時の１回目のプリ発光時の発光量を算出するための式と同じである。すなわち、この式４により、撮像素子１０４と調光回路１１５の受光特性の差分が補正されることになる。
【００５１】
Ｂｕｃｏｍ１５０は、この算出したプリ発光の光量が、Ｆｕｃｏｍ３５０から取得したフラット発光時のプリ発光最大ガイドナンバーを越えていないかどうかを調べ（ステップＡ１２）、越えていれば（ステップＡ１２のＹＥＳ）、その越えている算出したプリ発光ガイドナンバーに代えてプリ発光最大ガイドナンバーを設定する（ステップＡ１３）。
【００５２】
一方、ＡＵＴＯＩＳＯモードが設定されていなければ（ステップＡ３のＮＯ）、Ｂｕｃｏｍ１５０は、撮影感度をそのまま基本感度に維持し、本発光時の発光がフラット発光かどうかを調べる（ステップＡ１４）。もし、フラット発光であれば（ステップＡ１４のＹＥＳ）、Ｂｕｃｏｍ１５０は、プリ発光時の発光回数を無条件に１回に設定し（ステップＡ１５）、式４を使って、プリ発光時の発光量を算出する（ステップＡ１６）。そして、Ｂｕｃｏｍ１５０は、この算出したプリ発光の光量が、Ｆｕｃｏｍ３５０から取得したフラット発光時のプリ発光最大ガイドナンバーを越えていないかどうかを調べ（ステップＡ１２）、越えていれば（ステップＡ１２のＹＥＳ）、その越えている算出したプリ発光ガイドナンバーに代えてプリ発光最大ガイドナンバーを設定する（ステップＡ１３）。
【００５３】
また、フラット発光でなければ（ステップＡ１４のＮＯ）、つまり通常の閃光発光であれば、まず、式５を用いて、プリ発光時の発光回数を算出する（ステップＡ１７）。
【数５】
2005115161.tif 000007
【００５４】
この式５によれば、ＡＵＴＯＩＳＯモード設定時に用いる式２と同様、外部ストロボ装置３の最大ガイドナンバーおよび最小ガイドナンバーと、調光回路１１５のセンサダイナミックレンジとに対応した、プリ発光時の適切な発光回数が算出されることになる。
【００５５】
この発光回数を算出すると、次に、Ｂｕｃｏｍ１５０は、式６ａ，ｂを用いて、プリ発光時の各回の発光量を算出する（ステップＡ１８）。
【数６】
2005115161.tif 000008
【００５６】
この式６により、ＡＵＴＯＩＳＯモード設定時に用いる式３ａ，ｂと同様、撮像素子１０４と調光回路１１５の受光特性の差分が補正されることになる。そして、Ｂｕｃｏｍ１５０は、この算出したプリ発光の光量が、Ｆｕｃｏｍ３５０から取得した閃光発光時のプリ発光最大ガイドナンバーを越えていないかどうかを調べ（ステップＡ８）、越えていれば（ステップＡ８のＹＥＳ）、その越えている算出したプリ発光ガイドナンバーに代えてプリ発光最大ガイドナンバーを設定する（ステップＡ９）。
【００５７】
以上の手順により、この第１実施形態のカメラシステムは、調光回路１１５の特性を考慮した無駄のない適正な予備発光条件を設定することを実現する。
【００５８】
（第２実施形態）
次に、この発明の第２実施形態について説明する。
【００５９】
前述した第１実施形態のカメラシステムでは、ＡＵＴＯＩＳＯモードを設定するかどうかをユーザが選択可能であり、このＡＵＴＯＩＳＯモードの設定有無に応じて、本発光が閃光発光である場合におけるプリ発光時の発光回数および各回の発光量の演算式を使い分けていた。これに対して、この第２実施形態のカメラシステムでは、例えば廉価モデルのカメラシステム等を前提として、より簡単な制御とするために、ストロボ発光撮影時には常にＡＵＴＯＩＳＯモードで動作する。
【００６０】
図８は、この第２実施形態のカメラシステムが実行するストロボ発光撮影時のプリ発光制御の制御方法の手順を示すフローチャートである。
【００６１】
Ｂｕｃｏｍ１５０は、まず、Ｆｕｃｏｍ３５０から外部ストロボ装置３の最大ガイドナンバー、最小ガイドナンバーおよび閃光発光時のプリ発光最大ガイドナンバー等の各種データを取得して、例えばＳＤＲＡＭ１１７などのメモリに格納する（ステップＢ１）。また、Ｂｕｃｏｍ１５０は、不揮発性メモリ１２１に記録された調光回路１１５のセンサダイナミックレンジを読み取る（ステップＢ２）。
【００６２】
次に、Ｂｕｃｏｍ１５０は、不揮発性メモリ１２１に記録されたアップ段数を読み取って設定し（ステップＢ３）、本発光時の発光がフラット発光かどうかを調べる（ステップＢ４）。もし、フラット発光でなければ（ステップＡ５のＮＯ）、つまり通常の閃光発光であれば、Ｂｕｃｏｍ１５０は、まず、式２を用いて、プリ発光時の発光回数を算出する（ステップＢ５）。また、この発光回数を算出すると、Ｂｕｃｏｍ１５０は、式３ａ，ｂを用いて、プリ発光時の各回の発光量を算出する（ステップＢ６）。
【００６３】
一方、フラット発光であれば（ステップＢ４のＹＥＳ）、Ｂｕｃｏｍ１５０は、プリ発光時の発光回数を無条件に１回に設定し（ステップＢ７）、式４を使って、プリ発光時の発光量を算出する（ステップＢ８）。
【００６４】
そして、ここでは、フラット発光時のプリ発光最大Ｇno＜閃光発光時のプリ発光最大Ｇnoであることを踏まえ、制御を簡単にするために、Ｂｕｃｏｍ１５０は、算出したプリ発光の光量が、Ｆｕｃｏｍ３５０から取得した閃光発光時のプリ発光最大ガイドナンバーを越えていないかどうかのみを調べ（ステップＢ９）、越えていれば（ステップＢ９のＹＥＳ）、その越えている算出したプリ発光ガイドナンバーに代えて、プリ発光最大ガイドナンバーを設定する（ステップＢ１０）。
【００６５】
以上の手順により、前述した第１実施形態と同様に、この第２実施形態のカメラシステムにおいても、調光回路１１５の特性を考慮した無駄のない適正な予備発光条件の設定を実現する。
【００６６】
なお、前述した各実施形態では、外部ストロボ装置３とカメラ本体部１とがそれぞれ別体に構成されるカメラシステムに適用した例を説明したが、本発明のストロボ発光制御手法は、ストロボ装置を内蔵したカメラに対しても当然に適用可能である。また、携帯電話機やＰＤＡ（Personal Digital Assistant）端末等に搭載されるカメラ装置に対しても同様に適用可能である。
【００６７】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６８】
【図１】この発明の第１実施形態に係るカメラシステムの構成を示す図
【図２】同第１実施形態のカメラシステムでストロボ発光撮影が行われる場合のストロボ発光制御に関わる動作の流れを説明するためのタイミングチャート
【図３】同第１実施形態のカメラシステムで実行される調光回路のセンサダイナミックレンジに応じたプリ発光制御の原理を説明するための図
【図４】赤目発光およびプリ発光後の本発光の光量が低下する様子を示す図
【図５】ストロボ発光制御用にストロボ装置が保持するテーブルを例示する図
【図６】ストロボコンデンサの蓄積不足時におけるフラット発光の不具合発生を説明するための図
【図７】同第１実施形態のカメラシステムが実行するストロボ発光撮影時のプリ発光制御の手順を示すフローチャート
【図８】同第２実施形態のカメラシステムが実行するストロボ発光撮影時のプリ発光制御の手順を示すフローチャート
【符号の説明】
【００６９】
１…カメラ本体部、２…レンズ鏡筒、３…外部ストロボ装置、１０１…ファインダ装置、１０１ａ…反射鏡、１０１ｂ…ペンタプリズム、１０１ｃ…接眼レンズ、１０２…シャッタ部、１０３…撮像ユニット、１０４…撮像素子、１０５…防塵フィルタ、１０６…圧電素子、１０７…防塵フィルタ駆動回路、１０８…サブミラー、１０９…ＡＦセンサユニット、１１０…ＡＦセンサ駆動回路、１１１…ミラー駆動機構、１１２…シャッタチャージ機構、１１３…シャッタ制御回路、１１４…測光回路、１１５…調光回路、１１６…液晶モニタ、１１７…ＳＤＲＡＭ、１１８…ＲＯＭ、１１９…記録メディア、１２０…画像処理コントローラ、１２１…不揮発性メモリ、１５０…ボディ制御用マイクロコンピュータ、１５１…動作表示用ＬＣＤ、１５２…カメラ操作スイッチ、１５３…電池、１５４…電源回路、２０１…撮影光学系、２０２…レンズ駆動機構、２０３…絞り駆動機構、２５０…レンズ制御用マイクロコンピュータ、２５１，３５１…通信コネクタ、３０１…発光制御回路、３０２…発光部、３０３…充電制御回路、３０４…ストロボコンデンサ、３５０…フラッシュ制御用マイクロコンピュータ。
【図１】
2005115161.tif 000009
【図２】
2005115161.tif 000010
【図３】
2005115161.tif 000011
【図４】
2005115161.tif 000012
【図５】
2005115161.tif 000013
【図６】
2005115161.tif 000014
【図７】
2005115161.tif 000015
【図８】
2005115161.tif 000016